(57)【特許請求の範囲】
【請求項１】
電子メールに添付する画像データの数と許容ディレイ時間とを設定する設定手段と、
送信対象の画像データを取得する画像データ取得手段と、
画像データの取得開始からの時間をカウントするカウント手段と、
前記画像データ取得手段で取得した画像データを記憶する記憶メモリと、
前記記憶メモリに前記設定手段により設定した数以上の未送信の送信対象の画像データが格納されている場合に、前記設定した数の画像データを電子メールに添付して所定の送信先に自動的に送信し、また、記憶している未送信画像データが前記設定した数に満たない場合でも、前記カウント手段がカウントする時間が前記許容ディレイ時間以上となると、送信対象の画像データを電子メールに添付して自動的に送信する送信手段と、
から構成されていることを特徴とするデータ送信装置。
【請求項２】
前記送信手段は、送信した画像データを前記記憶メモリから消去する、ことを特徴とする請求項１に記載のデータ送信装置。
【請求項３】
一番最後に電子メールで送信された画像データをバックアップ用のデータとして記憶し、古いバックアップ用データを消去する手段をさらに備える、ことを特徴とする請求項１又は２に記載のデータ送信装置。
【請求項４】
電子メールに添付する画像データの数と許容ディレイ時間とを設定する設定工程と、
送信対象の画像データを取得する画像データ取得工程と、
画像データの取得開始からの時間をカウントするカウント工程と、
前記画像データ取得工程で取得した画像データを記憶メモリに記憶する記憶工程と、
前記記憶メモリに前記設定工程により設定した数以上の未送信の送信対象の画像データが格納されている場合に、前記設定した数の画像データを電子メールに添付して所定の送信先に送信し、また、記憶している未送信画像データが前記設定した数に満たない場合でも、前記カウント工程でカウントする時間が前記許容ディレイ時間以上となると、送信対象の画像データを電子メールに添付して送信する送信工程と、
を備えることを特徴とするデータ送信方法。
【請求項５】
電子メールに添付する画像データの数と許容ディレイ時間とを設定する設定手段と、
送信対象の画像データを取得する画像データ取得手段と、
画像データの取得開始からの時間をカウントするカウント手段と、
前記画像データ取得手段で取得した画像データを記憶する記憶メモリと、
前記記憶メモリに前記設定手段により設定した数以上の未送信の送信対象の画像データが格納されている場合に、前記設定した数の画像データを電子メールに添付して所定の送信先に自動的に送信し、また、記憶している未送信画像データが前記設定した数に満たない場合でも、前記カウント手段がカウントする時間が前記許容ディレイ時間以上となると、送信対象の画像データを電子メールに添付して自動的に送信する送信手段と、
から構成されていることを特徴とするデータ送信装置としてコンピュータを機能させるためのプログラムを記憶した記録媒体。
【発明の詳細な説明】
【０００１】
【発明の属する技術分野】
本発明は、データ送信装置及びデータ送信方法に関する。特に、本発明は、カメラで撮影した画像のデータを所定の送信先に送信するデータ送信装置及びデータ送信方法に関する。また、本発明は、データを送信するためのプログラムを記録した記録媒体に関する。
【０００２】
【従来の技術】
カメラと携帯電話機とが一体になったカメラ付携帯電話機がある。
特開平６−１３３０８１号公報に開示されているカメラ付携帯電話機は、カメラで撮影を行う際、予め設定された電話番号に発呼して回線を確保した後、撮影により得られた画像のデータを記憶手段から呼び出して発呼先に送信している。
【０００３】
また、上記公報のカメラ付携帯電話機は、設定数の画像データが内蔵メモリに記憶された後、所定数の画像データを一括して所定の発呼先に送信する一括転送モードを有している。なお、一括転送モードに設定するか否かは、カメラ付携帯電話機の利用者が予め設定することができるようになっている。
【０００４】
【発明が解決しようとする課題】
特開平６−１３３０８１号公報に開示された技術は、カメラ付携帯電話機を一括転送モードにするか否かを利用者が設定できるようになっているが、一括転送する画像データの数を設定できるようにはなっていない。このため、所定の撮影を終了した後も画像データの数が所定数に満たなかった場合には、画像データを送信することができない。また、画像データを一括転送するためには、必要のない画像を撮影しなければならない。このように、特開平６−１３３０８１号公報に開示されたカメラ付携帯電話機を用いると、画像データの送信を効率よく行うことができない。
【０００５】
また、カメラ付携帯電話機を上記一括転送モードに設定していない場合は、撮影を行う度に画像データが転送される。言い換えると、撮影を行う度に、カメラ付携帯電話機は予め設定された電話番号に発呼して画像データを送信する。このため、通信コストがかかるという問題がある。
【０００６】
また、上記カメラ付携帯電話機は、撮影により得た画像データをそのまま送信してしまうため、画像データを受信した側では、画像を実際に見ない限り、画像データの内容を判別することができない。例えば、撮影日時等を画像を見ることなく判別することはできない。このため、画像又は画像データの整理が煩雑になってしまうという問題がある。
【０００７】
従って、本発明は、画像データを低コストで効率よく送信するデータ送信装置及びデータ送信方法を提供することを目的とする。また、本発明は、画像データを簡単に整理できるようにするデータ送信装置及びデータ送信方法を提供することを目的とする。また、本発明は、画像データを低コストで効率よく送信するためのプログラムを記録した記録媒体を提供することを目的とする。また、本発明は、画像データを簡単に整理できるようにするためのプログラムを記録した記録媒体を提供することを目的とする。
【００１０】
【課題を解決するための手段】
上記目的を達成するために、本発明の第１の観点にかかるデータ送信装置は、電子メールに添付する画像データの数と許容ディレイ時間とを設定する設定手段と、送信対象の画像データを取得する画像データ取得手段と、画像データの取得開始からの時間をカウントするカウント手段と、前記画像データ取得手段で取得した画像データを記憶する記憶メモリと、前記記憶メモリに前記設定手段により設定した数以上の未送信の送信対象の画像データが格納されている場合に、前記設定した数の画像データを電子メールに添付して所定の送信先に自動的に送信し、また、記憶している未送信画像データが前記設定した数に満たない場合でも、前記カウント手段がカウントする時間が前記許容ディレイ時間以上となると、送信対象の画像データを電子メールに添付して自動的に送信する送信手段と、から構成されていることを特徴とする。
この発明によれば、画像データを低コストで効率よく送信することができる。
【００１１】
前記送信手段は、送信した画像データを前記記憶メモリから消去してもよい。
【００１２】
一番最後に電子メールで送信された画像データをバックアップ用のデータとして記憶し、古いバックアップ用データを消去する手段をさらに備えてもよい。
【００１４】
本発明の第２の観点にかかるデータ送信方法は、電子メールに添付する画像データの数と許容ディレイ時間とを設定する設定工程と、送信対象の画像データを取得する画像データ取得工程と、画像データの取得開始からの時間をカウントするカウント工程と、前記画像データ取得工程で取得した画像データを記憶メモリに記憶する記憶工程と、前記記憶メモリに前記設定工程により設定した数以上の未送信の送信対象の画像データが格納されている場合に、前記設定した数の画像データを電子メールに添付して所定の送信先に送信し、また、記憶している未送信画像データが前記設定した数に満たない場合でも、前記カウント工程でカウントする時間が前記許容ディレイ時間以上となると、送信対象の画像データを電子メールに添付して送信する送信工程と、を備えることを特徴とする。
【００１７】
本発明の第３の観点にかかるコンピュータ読み取り可能な記録媒体は、コンピュータを、電子メールに添付する画像データの数と許容ディレイ時間とを設定する設定手段と、送信対象の画像データを取得する画像データ取得手段と、画像データの取得開始からの時間をカウントするカウント手段と、前記画像データ取得手段で取得した画像データを記憶する記憶メモリと、前記記憶メモリに前記設定手段により設定した数以上の未送信の送信対象の画像データが格納されている場合に、前記設定した数の画像データを電子メールに添付して所定の送信先に自動的に送信し、また、記憶している未送信画像データが前記設定した数に満たない場合でも、前記カウント手段がカウントする時間が前記許容ディレイ時間以上となると、送信対象の画像データを電子メールに添付して自動的に送信する送信手段と、から構成されていることを特徴とするデータ送信装置として機能させるためのプログラムを記憶している。
【００１８】
【発明の実施の形態】
次に、本発明の実施の形態にかかるカメラ付携帯電話機について図面を参照して説明する。
【００１９】
本発明の実施の形態にかかるカメラ付携帯電話機は、カメラで撮影した画像のデータを電子メールに添付して所定の送信先に自動送信する。
上記カメラ付携帯電話機は、図１に示すように、カメラ１と、操作部２と、無線部３と、表示部４と、通知部５と、記憶部６と、制御部７と、から構成されている。
【００２０】
カメラ１は、デジタルカメラ等であり、カメラ付携帯電話機の利用者による操作に従って撮影を行い、撮影で得た画像のデータを制御部７に出力する。
操作部２は、複数の操作ボタン等を備え、携帯電話機の利用者により操作される。操作部２は、利用者の操作に従って、携帯電話機を動作させるための様々な信号を制御部７に出力する。
【００２１】
無線部３は、アンテナ等を備え、電子メールのデータ等を他の通信端末との間で送受信する。
表示部４は、液晶ディスプレイ等を備え、カメラ付携帯電話機の動作状況や様々な設定画面等を表示する。
【００２２】
通知部５は、スピーカやバイブレータ等を備え、他の通信端末からの着信や電子メールの送信完了等を、音声や振動によりカメラ付携帯電話機の利用者に通知する。
【００２３】
記憶部６は、ＲＡＭ（Random Access Memory）やＲＯＭ（Read Only Memory）等から構成され、画像データを電子メールで自動送信するためのデータ送信プログラム、様々な設定画面のデータ、画像データ、電話番号、及び、電子メールのアドレス等を記憶している。なお、画像データの記憶領域は、図２に示すように、一時保持領域、保存領域、及び、バックアップ領域の３つの領域から構成されている。
【００２４】
カメラ１により得られた画像データは、一時保持領域に一旦記憶される。そして、後述する画像データ処理において、保存すると指示された場合に保存領域に保存され、削除すると指定された場合にバックアップデータとしてバックアップ領域に保存される。また、保存領域に記憶されている画像データは、電子メールに添付されて送信された後、保存領域から削除され、バックアップデータとしてバックアップ領域に保存される。バックアップ領域は、順次上書きされることにより更新され、一時保持領域又は保存領域から一番最後に削除された画像データが保存され、古いバックアップデータは消去されるようになっている。
【００２５】
制御部７は、記憶部６が記憶しているデータ送信プログラム等に従って動作し、カメラ付携帯電話機を構成する上記各部を制御して画像データを電子メールに添付して所定の送信先に自動送信する。なお、制御部７の詳しい動作については後述する。
【００２６】
次に、以上のように構成されるカメラ付携帯電話機の動作について説明する。カメラ付携帯電話機の利用者は、カメラ１を用いて撮影を行う前に、以下に示すようにして、電子メールで画像データを自動送信するための自動送信条件を設定する。
【００２７】
始めに、カメラ付携帯電話機の利用者は、カメラ付携帯電話機の機能メニューを表示させるため、操作部２が備える所定の操作ボタンを押下する。これにより、操作部２は、機能メニュー画面の表示を指示するメニュー表示信号を制御部７に出力する。
【００２８】
制御部７は、操作部２からのメニュー表示信号に応答して、機能メニュー画面のデータを記憶部６から取得し、表示部４を制御して図３（ａ）に示すような機能メニュー画面を表示する。
【００２９】
利用者は、操作部２を所定の手順で操作し、カーソルを上下に移動させてメニュー画面に表示される自動画像処理設定の項目を選択し、選択した項目を確定するために、操作部２が備える所定の操作ボタンを押下する。これにより、操作部２は、自動画像処理設定項目が選択されたことを示す選択信号を制御部７に出力する。
【００３０】
制御部７は、操作部２から供給される選択信号に応答して自動画像処理設定画面のデータを記憶部６から取得し、表示部４を制御して図３（ｂ）に示すような自動画像処理設定画面を表示する。
【００３１】
利用者は、上記と同様に操作部２を所定の手順で操作し、カーソルを上下に移動させて自動画像処理設定画面に表示される自動送信条件設定の項目を選択し、選択した項目を確定するために、操作部２が備える所定の操作ボタンを押下する。これにより、操作部２は、自動送信条件設定項目が選択されたことを示す選択信号を制御部７に出力する。
【００３２】
制御部７は、操作部２から供給される選択信号に応答して自動送信条件設定画面のデータを記憶部６から取得し、表示部４を制御して図３（ｃ）に示すような自動送信条件設定画面を表示する。
利用者は、操作部２を所定の手順で操作し、表示部４が表示する自動送信条件設定画面上で自動送信条件を入力する。
【００３３】
自動送信条件は、図３（ｃ）に示すように、電子メールの送信先を示すアドレス、タイトル（電子メールのタイトル）、電子メールに添付する画像データのファイル名、１つの電子メールに添付する画像データの数（添付ファイル数）、及び、送信対象の画像データの取得を開始してから電子メールを送信するまでの時間（ディレイタイム）の項目から構成されている。
【００３４】
なお、電子メールのタイトルや画像データのファイル名を撮影場所等に設定することにより、実際に画像を見ることなく電子メールの内容が一目で分かり、短時間で画像を整理することができる。また、自動送信対象である画像データはファイル名により判別され、同一の電子メールで自動送信される画像データは同一のファイル名を有し、撮影順を示すシリアルナンバーがファイル名の後に付される。
【００３５】
利用者は、上記自動送信条件の各項目を入力した後、操作部２が備える所定の操作ボタンを押下する。これにより、操作部２は、利用者が入力した自動送信条件を制御部７に出力する。
制御部７は、操作部２から供給される自動送信条件を記憶部６に記憶させることにより、上記自動送信条件を設定する。
【００３６】
上記自動送信条件の設定が完了した後、利用者は、上記と同様に操作部２を操作し、上記自動送信条件に従って画像データを自動送信する自動送信モードのオン／オフを設定する。
【００３７】
具体的には、利用者は、上記と同様に操作部２を操作し、図３（ａ）の機能メニュー画面を表示させる。
続いて、利用者は、上記と同様に操作部２を操作し、機能メニュー画面に表示される自動画像処理設定の項目を選択して確定し、図３（ｂ）の自動画像処理設定画面を表示させる。
【００３８】
そして、利用者は、上記と同様に操作部２を操作し、カーソルを上下に移動させて自動画像処理設定画面に表示される自動送信モードの項目を選択して確定する。これにより、操作部２は、自動送信モード項目が選択されたことを示す選択信号を制御部７に出力する。
【００３９】
制御部７は、操作部２から供給される選択信号に応答して自動送信モード画面のデータを記憶部６から取得し、表示部４を制御して図３（ｄ）に示すような自動送信モード画面を表示する。
【００４０】
利用者は、画像データを電子メールに添付して自動送信するときは、上記と同様に操作部２を操作して自動送信モードをオンにする。これにより、操作部２は、自動送信モードをオンにすることを示すモード設定信号を制御部７に出力する。
制御部７は、操作部２から供給されるモード設定信号に従って、自動送信モードをオンにする。
もし、画像データを単に保存するときは、利用者は、予め操作部２を操作して自動送信モードをオフにする。
【００４１】
ここで、上記自動送信条件及び自動送信モードの設定が終了した後、カメラ付携帯電話機の利用者がカメラ１を操作して撮影を行い、制御部７がカメラ１から供給される画像データに応答して画像データを処理する一例を図４に示す。
尚、カメラ１は、利用者の操作に従って撮影を行い、撮影により得た画像のデータを制御部７に順次供給し、制御部７は、カメラ１から供給される画像データに応答して、画像データ処理（画像データの取得、記憶、削除、送信処理など）を開始する。
【００４２】
始めに、制御部７は、カメラ１から供給された画像データを記憶部６の一時保持領域に記憶させ、図３（ｄ）に示すように、操作部２により予め設定され、その際に供給されるモード設定信号により画像データを電子メールで自動送信するか否かを判別する（ステップＳ１０１）。
【００４３】
ここで、制御部７は、利用者の操作により撮影を開始した際、それをトリガとして表示部４にメッセージ等を表示して画像データを電子メールで自動送信するか否かを利用者に選択・指定させ、この選択指定により操作部２から供給される送信／非送信信号により画像データを電子メールで自動送信するか否かを判別してもよい。
【００４４】
画像データを自動送信すると判別した場合（ステップＳ１０１；ＹＥＳ）、制御部７は、ディレイタイマをスタートさせ、送信までのディレイタイムのカウントを開始する（ステップＳ１０２）。
そして、制御部７は、上記自動送信条件の添付ファイル数を記憶部６から取得し、カメラ１から画像データを供給される度に送信対象である画像データの数が添付ファイル数に達したか否かを判別する（ステップＳ１０３）。
【００４５】
画像データの数は添付ファイル数に達していないと判別した場合（ステップＳ１０３；ＮＯ）、制御部７は、記憶部６の一時保持領域に記憶させた画像データを保存するためのメモリが不足しているか否かを判別する（ステップＳ１０４）。即ち、制御部７は、新たな画像データを保存する容量が記憶部６の保存領域に残っているか否かを判別する。
【００４６】
容量が残っている、即ち、メモリ不足でないと判別した場合（ステップＳ１０４；ＮＯ）、制御部７は、記憶部６を制御し、一時保持領域の画像データを保存領域にコピーして保存する（ステップＳ１０５）。この際、制御部７は、上記自動送信条件の添付ファイル名を記憶部６から取得し、取得した添付ファイル名で画像データを保存する。また、画像データは撮影日時を示す日付データと対応付けられて保存領域に保存される。
【００４７】
続いて、制御部７は、送信までのディレイタイムが経過したか否かを判別し（ステップＳ１０６）、経過していないと判別した場合に（ステップＳ１０６；ＮＯ）ステップＳ１０３にリターンする。一方、ディレイタイムが経過したと判別した場合に（ステップＳ１０６；ＹＥＳ）、制御部７は、後述するステップＳ１０７の処理を行う。
【００４８】
上記ステップＳ１０４の処理で容量が残っていない、即ち、メモリ不足であると判別した場合（ステップＳ１０４；ＹＥＳ）、制御部７は、後述するステップＳ１０７の処理を行う。
【００４９】
上記ステップＳ１０３の処理で画像データの数は添付ファイル数に達したと判別した場合（ステップＳ１０３；ＹＥＳ）、制御部７は、送信対象の画像データを記憶部６から取得して電子メールに添付し、無線部３を制御して所定の送信先に送信する（ステップＳ１０７）。
【００５０】
具体的には、制御部７は、記憶部６から自動送信条件の添付ファイル名を取得し、取得した添付ファイル名と同一ファイル名の画像データを記憶部６の保存領域から取得する。そして、制御部７は、保存領域から取得した画像データ及び一時保持領域に記憶させた画像データを電子メールに添付する。この際、制御部７は、各画像データに対応付けられた日付データを用いて、各画像の撮影日時を電子メールの本文に書き込む。続いて、制御部７は、自動送信条件の自動送信の宛先を記憶部６から取得し、無線部３を制御して取得した宛先に電子メールを送信する。
【００５１】
画像データを電子メールで送信した後、制御部７は、送信した画像データをバックアップデータとして記憶部６のバックアップ領域にコピーして保存する。そして、制御部７は、一時保持領域及び保存領域に記憶されている送信済の画像データを削除し（ステップＳ１０８）、画像データ処理を終了する。
なお、制御部７は、画像データを電子メールで自動送信した後、通知部５を制御し、自動送信が完了したことを音声や振動等により利用者に通知してもよい。
【００５２】
上記ステップＳ１０１の処理で画像データを自動送信しないと判別した場合（ステップＳ１０１；ＮＯ）、制御部７は、自動送信しないと判別した画像データを保存するか否かを判別する（ステップＳ１０９）。
【００５３】
具体的には、制御部７は、表示部４を制御し、例えば図５に示すようなメッセージ及び選択項目等を表示し、画像データを保存するか否かを利用者に選択させる。
【００５４】
利用者は、表示部４のメッセージに応答して上記と同様に操作部２を操作し、画像データを保存するか否かを選択して確定する。操作部２は、利用者が選択した項目、即ち、画像データを保存するか否かを示す保存／非保存信号を制御部７に出力する。
【００５５】
制御部７は、操作部２から供給される保存／非保存信号により、カメラ１から供給された画像データを保存するか否かを判別する。
画像データを保存しないと判別した場合（ステップＳ１０９；ＮＯ）、制御部７は、記憶部６を制御し、一時保持領域の画像データをバックアップ領域にコピーしてバックアップデータとして保存し（ステップＳ１１０）、画像データ処理を終了する。
【００５６】
一方、画像データを保存すると判別した場合（ステップＳ１０９；ＹＥＳ）、制御部７は、記憶部６の一時保持領域に記憶させた画像データを保存するためのメモリが不足しているか否かを判別する（ステップＳ１１１）。即ち、制御部７は、新たな画像データを保存する容量が記憶部６の保存領域に残っているか否かを判別する。
【００５７】
容量が残っている、即ち、メモリ不足でないと判別した場合（ステップＳ１１１；ＮＯ）、制御部７は、記憶部６を制御し、一時保持領域の画像データを保存領域にコピーして保存し（ステップＳ１１２）、画像データ処理を終了する。この際、制御部７は、表示部４を制御してファイル名の設定画面等を表示し、保存する画像データのファイル名等を利用者に入力させてもよい。
【００５８】
一方、容量が残っていない、即ち、メモリ不足であると判別した場合（ステップＳ１１１；ＹＥＳ）、制御部７は、メモリの保存領域を確保するため、表示部４に例えば「不必要な画像データを削除して下さい」などのコメントを表示させ、画像データ処理を終了する。ここで、上記コメントに従って利用者が操作部２を操作し、この操作に応答して画像データの削除プログラムを実行するようにしてもよいことは言うまでもない。
【００５９】
以上のようにして、所定数の画像データを電子メールに添付して、所定の送信先に自動送信することができる。この際、１つの電子メールに添付する画像データの数を設定できるため、電子メールの送信頻度を適切に制御することができ、制御部７にかかる負担を軽減することができると共に、消費電力を節約することができる。また、画像データを電子メールに添付する際、各画像の撮影日時を電子メールの本文に書き込むため、画像を実際に見なくても画像を簡単に整理することができる。
【００６０】
また、上記ディレイタイムを設定したり、不要な画像データを削除することができるため、無駄なメール送信がなくなる。また、メモリ不足となった場合、自動送信対象の画像データが電子メールで自動送信された後に削除されるため、利用者は、メモリ容量等を意識することなく撮影を行うことができる。また、一番最後に削除した画像データはバックアップデータとして保存されるため、誤って削除した画像データを復元することができる。
さらに、電子メールを利用するため、低いコストで画像データを送信することができる。
【００６１】
なお、上記カメラ付携帯電話機は、赤外線やBluetooth等の近距離無線によりデータの送受信を行う送受信部やシリアルバスあるいはＵＳＢ（Universal Serial Bus）などによる外部入出力装置を備えてもよい。このようにすると、携帯用の大容量記憶装置や携帯型コンピュータ等とのデータ送受信が可能になる。このため、撮影で得られた画像データを大容量記憶装置等に保存することにより、メモリ容量等を意識することなく撮影や画像データの編集等を行うことができる。
【００６２】
また、電子メールに添付して送信する画像データは、撮影により得られた画像データでなく、予め記憶部６に記憶された画像データでもよい。この場合も、電子メールで送信した後に、送信済の画像データを記憶部６の保存領域から削除してもよい。
【００６３】
また、本発明の装置は、専用の装置を用いる必要はなく、デジタルカメラ等を備えたコンピュータにより実現することができる。例えば、コンピュータに上記した各処理を実行させるためのプログラム及びデータを記録媒体（フロッピーディスク、ＣＤ−ＲＯＭ等）に記録して配布し、これをインストールしてＯＳ上で実行することにより、この発明の装置を実現できる。
また、プログラム及びデータの配布は、ＣＤ−ＲＯＭ等に限らず、通信回線等を介して行われてもよい。
【００６４】
【発明の効果】
以上の説明から明らかなように、本発明によって、画像データを低コストで効率よく送信することができる。また、本発明によって、画像データを簡単に整理することができるようになる。
【図面の簡単な説明】
【図１】本発明の実施の形態にかかるカメラ付携帯電話機の構成図である。
【図２】図１に示すカメラ付携帯電話機を構成する記憶部が有する画像データの記憶領域の構成図である。
【図３】図１に示すカメラ付携帯電話機を構成する表示部が表示する画面を示す図である。
【図４】図１に示すカメラ付携帯電話機を構成する制御部が行う画像データ処理を示すフローチャートである。
【図５】図１に示すカメラ付携帯電話機を構成する表示部が表示する画面を示す図である。
【符号の説明】
１  カメラ
２  操作部
３  無線部
４  表示部
５  通知部
６  記憶部
７  制御部
【図１】
0003828739.tif 000002
【図２】
0003828739.tif 000003
【図３】
0003828739.tif 000004
【図４】
0003828739.tif 000005
【図５】
0003828739.tif 000006